(57)【要約】【課題】蓄積装置に蓄積されたデータを選択的にリムーバブル型の記憶装置の記録媒体に効率よく記録することができるデータ記録装置及びその制御方法を提供する。【解決手段】蓄積装置を備え、蓄積装置に蓄積された情報データをリムーバブル型の記憶装置の記録媒体に記録するデータ記録装置であり、蓄積装置に蓄積された情報データを記録媒体の記録容量単位で管理し、蓄積装置から記録媒体の記録容量単位で情報データを読み出してその読み出した情報データの記憶装置の記録媒体への記録を制御する。【選択図】  図１
2005025844.tif 000002
【特許請求の範囲】
【請求項１】
蓄積装置を備え、前記蓄積装置に蓄積された情報データをリムーバブル型の記憶装置の記録媒体に記録するデータ記録装置であって、
前記蓄積装置に蓄積された情報データを前記記録媒体の記録容量単位で管理するデータ管理手段と、
前記蓄積装置から前記記録媒体の記録容量単位で情報データを読み出してその読み出した情報データの前記記憶装置の記録媒体への記録を制御する制御手段と、を備えたことを特徴とするデータ記録装置。
【請求項２】
前記データ管理手段は、前記蓄積装置に前記記録媒体の記録容量を有するグループ記録領域を形成し、前記蓄積装置に前記情報データを書き込む際に前記情報データを前記グループ記録領域内に書き込み、
前記制御手段は、前記グループ記録領域内の全ての前記情報データを読み出し、
前記記憶装置は、前記制御手段によって読み出された前記グループ記録領域内の全ての情報データを前記記憶装置の記録媒体への書き込むことを特徴とする請求項１記載のデータ記録装置。
【請求項３】
前記蓄積装置の記録領域は、前記情報データを個別に記憶する個別記録領域と、前記グループ記録領域が形成されるグループ記録領域と、からなる主データ記録領域と、
前記個別記録領域に記憶された情報データについての管理情報を記憶する個別管理領域と、前記グループ記録領域に記憶された情報データについての管理情報を記憶するグループ管理領域と、からなる管理情報記録領域と、を備えることを特徴とする請求項２記載のデータ記録装置。
【請求項４】
前記蓄積装置の前記グループ記録領域に記憶された全ての情報データを消去する消去手段を有することを特徴とする請求項２又は３記載のデータ記録装置。
【請求項５】
前記データ管理手段は、前記蓄積装置に蓄積された情報データを前記記録媒体の記録容量単位で管理するためのグループ管理情報を前記蓄積手段に記憶し、
前記制御手段は、前記管理情報に基づいて前記記録媒体の記録容量単位で前記蓄積装置から前記情報データを読み出し、
前記記憶装置は、前記制御手段によって読み出された前記記録媒体の記録容量単位の前記情報データを前記記憶装置の記録媒体への書き込むことを特徴とする請求項１記載のデータ記録装置。
【請求項６】
前記蓄積装置の記録領域は、前記情報データを個別に記憶する主データ記録領域と、
前記グループ管理情報を記憶するグループ管理領域と、前記記録媒体の記録容量単位の管理対象外の情報データについての管理情報を記憶する個別管理領域と、からなる管理情報記録領域と、を備えることを特徴とする請求項５記載のデータ記録装置。
【請求項７】
前記蓄積装置はハートディスクドライブ装置であり、前記記憶装置は光ディスクドライブ装置であることを特徴とする請求項１記載のデータ記録装置。
【請求項８】
前記供給される情報データは放送番組の受信信号を復調し、更に圧縮することによって得た圧縮データであることを特徴とする請求項１記載のデータ記録装置。
【請求項９】
蓄積装置を備え、前記蓄積装置に蓄積された情報データをリムーバブル型の記憶装置の記録媒体に記録するデータ記録装置の制御方法であって、
前記蓄積装置に蓄積された情報データを前記記録媒体の記録容量単位で管理し、
前記蓄積装置から前記記録媒体の記録容量単位で情報データを読み出してその読み出した情報データの前記記憶装置の記録媒体への記録を制御することを特徴とする制御方法。
【発明の詳細な説明】
【０００１】
【発明が属する技術分野】
本発明は、蓄積装置に蓄積されたデータを選択的にリムーバブル型の記憶装置の記録媒体に記録するデータ記録装置及びその制御方法に関する。
【０００２】
【従来の技術】
ハードディスクレコーダ等の録画装置では、放送番組を例えば、２４時間分だけ蓄積装置としての内蔵のハードディスクドライブ装置にデータとして録画して置き、後でユーザがその録画された番組の中から任意の番組を選択して視聴することができる。
【０００３】
かかる録画装置においては、内蔵のハードディスクドライブ装置に対して一般にリングバッファ方式の記録を行っているので、録画された番組のデータはいずれ消去されて新たな番組のデータが記録される。これに対処するために、内蔵のハードディスクドライブ装置に録画された番組のデータを光ディスク等の記録媒体にユーザによる入力操作に応じて選択的に複写（コピー）することができるようリムーバブル型の記憶装置を内蔵又は外部接続可能にしたものがある。よって、ユーザは任意の番組のデータを記録媒体に保存することができ、保存された記録媒体を再生することによって任意の番組を適宜視聴することができる。
【０００４】
【発明が解決しようとする課題】
しかしながら、ハードディスクドライブ装置に録画された番組のデータを記録媒にコピーする作業では、ユーザが選択した番組数によっては記録媒体に番組終了まで完全にデータを記録できないなどの不具合が生じることがあった。
本発明が解決しようとする課題には、上記の問題点が一例として挙げられ、蓄積装置に蓄積されたデータを選択的にリムーバブル型の記憶装置の記録媒体に効率よく記録することができるデータ記録装置及びその制御方法を提供することが本発明の目的である。
【０００５】
【課題を解決するための手段】
請求項１に係る本発明のデータ記録装置は、蓄積装置を備え、前記蓄積装置に蓄積された情報データをリムーバブル型の記憶装置の記録媒体に記録するデータ記録装置であって、前記蓄積装置に蓄積された情報データを前記記録媒体の記録容量単位で管理するデータ管理手段と、前記蓄積装置から前記記録媒体の記録容量単位で情報データを読み出してその読み出した情報データの前記記憶装置の記録媒体への記録を制御する制御手段と、を備えたことを特徴としている。
【０００６】
請求項９に係る本発明のデータ記録装置の制御方法は、蓄積装置を備え、前記蓄積装置に蓄積された情報データをリムーバブル型の記憶装置の記録媒体に記録するデータ記録装置の制御方法であって、前記蓄積装置に蓄積された情報データを前記記録媒体の記録容量単位で管理し、前記蓄積装置から前記記録媒体の記録容量単位で情報データを読み出してその読み出した情報データの前記記憶装置の記録媒体への記録を制御することを特徴としている。
【０００７】
【発明の実施の形態】
以下、本発明の実施例を図面を参照しつつ詳細に説明する。
図１は本発明を適用した録画装置を示している。この録画装置は、ＴＶチューナ１、Ａ／Ｄ変換器２、エンコーダ３、制御部４、表示部５、操作部６、ＨＤＤ（ハードディスクドライブ）装置７、光ディスクドライブ装置８、メモリ９、デコーダ１０及びＤ／Ａ変換器１１からなる。
【０００８】
ＴＶチューナ１はアンテナ入力端子２１に接続され、そこに接続されるアンテナ（図示せず）を介してテレビ放送波を制御部４による制御によって選択的に受信しその受信信号を復調してアナログの映像信号及び音声信号を出力する。ＴＶチューナ１の出力はＡ／Ｄ変換器２に接続されている。Ａ／Ｄ変換器２はＴＶチューナ１から出力されるアナログの映像信号及び音声信号をディジタル化する。また、Ａ／Ｄ変換器２は外部映像及び音声入力端子２２及び２３に接続され、そこに供給されるアナログの映像信号及び音声信号をディジタル化する。Ａ／Ｄ変換器２の出力はエンコーダ３に接続されている。エンコーダ３はディジタル化された映像信号及び音声信号を例えば、ＭＰＥＧ形式の圧縮データに変換する。
【０００９】
エンコーダ３、制御部４、ＨＤＤ装置７、光ディスクドライブ装置８、メモリ９及びデコーダ１０は共通のバス１６に接続されている。エンコーダ３は圧縮データをバス１６を介して制御部４、ＨＤＤ装置７、光ディスクドライブ装置８、メモリ９及びデコーダ１０のいずれかに供給することができる。
制御部４は例えば、マイクロコンピュータからなり、予め定められたプログラムに従って録画装置全体を制御する。制御部４とＴＶチューナ１との間は図示しない制御ラインによって接続され、ＴＶチューナ１の受信チャンネルが制御部４によって制御されるようになっている。
【００１０】
表示部５及び操作部６は制御部４に接続されている。表示部５は制御部４から表示指令に応じてＴＶチューナ１の受信チャンネルやＨＤＤ装置７及び光ディスクドライブ装置８の記録／再生状態を表示する。操作部６はユーザの入力操作を受け入れてその入力操作に応じた指令を制御部４に供給する。
ＨＤＤ装置７は書き換え可能な固定ディスク（図示せず）による記憶装置であり、制御部４の書込指示に応じてエンコーダ３から供給される圧縮データを内部の固定ディスクのその書込指示が示すアドレス位置に書き込む。圧縮データの書き込み開始からその終了までがデータの単位区切りとなり、それが圧縮データのファイル（データ片）となる。また、制御部４の読出指示に応じて固定ディスクからその読出指示によってアドレス指定された記憶位置の圧縮データを読み出してバス１６に出力する。
【００１１】
光ディスクドライブ装置８は、リムーバブル型の記憶装置であり、制御部４の書込指示に応じてエンコーダ３又はＨＤＤ装置７からの圧縮データを光ディスク１５に書き込み可能な装置である。光ディスク１５としては例えば、ＤＶＤ−ＲやＤＶＤ−ＲＷが用いられる。光ディスクドライブ装置８は制御部４の読出指示に応じて光ディスク１５に書き込まれている圧縮データを読み出すこともできる。
【００１２】
デコーダ１０はバス１６を介してエンコーダ３、ＨＤＤ装置７又は光ディスクドライブ装置８から供給される圧縮データを伸張してディジタルの映像信号及び音声信号を復元する。復元されたディジタルの映像信号及び音声信号はＤ／Ａ変換器１１に供給される。Ｄ／Ａ変換器１１はディジタルの映像信号及び音声信号をアナログの映像信号及び音声信号に変換して映像及び音声出力端子２４及び２５に供給する。映像及び音声出力端子２４及び２５には図示しないテレビモニタやＶＣＲ（ビデオカセットレコーダ）が接続される。
【００１３】
ＨＤＤ装置７の固定ディスクには、図２に示すような構造の記録領域が形成されている。記録領域は、管理情報記録領域と主データ記録領域とに区分けされる。上記の圧縮データは主データ記録領域にファイル単位で書き込まれる。圧縮データの書き込みは主データ記録領域におけるアドレス順となる。主データ記録領域は更に個別記録領域と複数の仮想ディスク領域Ｄ１〜Ｄｎとに分けられる。ｎはここでは２以上の整数であるが、仮想ディスク領域は１つでも良い。個別記録領域は記録動作に圧縮データが書き込まれる領域である。
【００１４】
複数の仮想ディスク領域Ｄ１〜Ｄｎ各々は仮想ディスクを形成するグループ記録領域であり、仮想ディスク設定動作によって形成される領域である。仮想ディスク設定動作においては後述するように、光ディスク１５の記録領域（主データ記録領域）の記録容量と等しい記録容量を有する複数の仮想ディスク領域Ｄ１〜Ｄｎを作成することができる。仮想ディスク領域Ｄ１〜Ｄｎへの圧縮データの書き込み動作はコピー動作前に仮想ディスク記録動作として行われる。管理情報記録領域は主データ記録領域に書き込まれた圧縮データのファイル単位の位置、そのサイズ及びデータ識別情報をデータ管理情報として管理する領域であり、図２に示すように個別記録領域用と仮想ディスク領域Ｄ１〜Ｄｎ用とがある。データ識別情報は例えば、ファイル名である。なお、図２においては、グループ記録領域の仮想ディスク領域Ｄ１〜Ｄｎ及び管理情報記録領域の仮想ディスク領域Ｄ１〜Ｄｎ用は既に形成された状態で示している。
【００１５】
光ディスク１５の記録領域は図３に示すように、管理情報記録領域と主データ記録領域とに区分けされる。光ディスク１５の場合においても管理情報記録領域は主データ記録領域に書き込まれた圧縮データのファイル単位の位置、そのサイズ及びデータ識別情報をデータ管理情報として管理する領域である。光ディスク１５には、例えば、４．７ＧＢ（ギガバイト）と１．４ＧＢとのように、互いに記録容量が異なるタイプのディスクが存在する。
【００１６】
かかる構成の録画装置において、動作モードとしては上記のコピー動作の他に仮想ディスク設定動作、記録動作及び再生動作がある。記録動作には個別記録領域に記録を行う一般記録動作と、上記した仮想ディスク記録動作とが含まれる。これらの動作は表示部５に表示されるメニューに対してユーザが操作部６を操作することによって選択することができる。
【００１７】
仮想ディスク設定動作は、ＨＤＤ装置７の固定ディスクにおけるグループ記録領域に１つの仮想ディスク領域を設定するための動作である。制御部４は、図４に示すように仮想ディスク設定動作では、先ず、仮想ディスク設定入力映像を表示部５に表示させる（ステップＳ１）。表示部５には、例えば、図５に示す如き仮想ディスク設定入力映像が表示され、この表示に従ってユーザはディスクタイトル名、ディスク容量及び記録時間（又は記録レート）を操作部６を介して操作入力することができる。ディスクタイトル名及び記録時間についてはユーザが直接文字或いは数値を入力しても良いが、ＥＰＧ（電子番組案内）の番組情報に応じて指定しても良い。ディスク容量については４．７ＧＢ及び１．４ＧＢのいずれか一方がカーソル（太枠）によって選択される。記録レートは、Ｆｉｎｅ，ＳＰ，ＬＰ，ＥＰのモードからカーソルによって選択される。Ｆｉｎｅ，ＳＰ，ＬＰ，ＥＰは記録時間が短いモード順に並べて示しているが、記録時間が短いほど画質が良い。この記録レートの選択はエンコーダ３による圧縮データ生成の際の圧縮率を指定していることになる。仮想ディスクの番号はｍであり、図５の例では１となっている。仮想ディスクの番号は未設定の仮想ディスクの番号順に定めて表示しても良いが、任意の仮想ディスクの番号を操作部６を介して入力可能にしても良い。なお、ディスク容量、記録時間及び記録レートの間には、ディスク容量＝記録時間×記録レートという関係がある。
【００１８】
制御部４は、ステップＳ１の実行後、ディスクタイトル名、ディスク容量及び記録時間（又は記録レート）が操作部６を介して操作入力によって設定されたか否かを判別する（ステップＳ２）。図５に示したように、ディスクタイトル名、ディスク容量及び記録レートが設定された場合には、ＨＤＤ装置７に対してディスクタイトル名、ディスク容量及び記録時間をそれらの情報の管理情報記録領域の仮想ディスクＤｍ用への書き込みを指令する（ステップＳ３）。
【００１９】
記録動作はＨＤＤ装置７に圧縮データを書き込む動作である。制御部４は、操作部６の記録キー或いは予約記録キー（共に図示せず）が操作されると、記録動作の制御を開始し、図６に示すように、先ず、記録エリア選択映像を表示部５に表示させる（ステップＳ１１）。表示部５には、例えば、図７に示す如き記録エリア選択映像が表示され、この表示に従ってユーザは一般記録と仮想ディスク記録とのいずれか一方を操作部６を介して選択操作することができる。ステップＳ１１の実行後、制御部４は選択操作があったか否かを判別する（ステップＳ１２）。選択操作がないならば、その状態がステップＳ１１の実行から５秒以上経過したか否かを判別する（ステップＳ１３）。５秒以上経過していないならば、ステップＳ１２の判別動作に戻る。一方、５秒以上経過してしまったならば、一般記録動作（ステップＳ１４）に進む。
【００２０】
ステップＳ１２において選択操作があったと判別した場合には、その選択は仮想ディスク記録の選択であるか否かを判別する（ステップＳ１５）。仮想ディスク記録の選択であるならば、仮想ディスク記録動作（ステップＳ１６）に進み、仮想ディスク記録の選択ではないならば、ステップＳ１４の一般記録動作に進む。
【００２１】
一般記録動作においては、ＴＶチューナ１で受信された放送波の映像信号及び音声信号又は外部映像及び音声入力端子２２及び２３に供給された映像信号及び音声信号がＡ／Ｄ変換器２によってディジタルの映像信号及び音声信号に変換される。そのディジタルの映像信号及び音声信号はエンコーダ３によって圧縮化されて圧縮データとなり、その圧縮データはバス１６を介してＨＤＤ装置７に供給される。ＨＤＤ装置７は制御部４の書込指示に応じて圧縮データを固定ディスクの個別記録領域内のその書込指示が示すアドレス位置に書き込む。
【００２２】
その個別記録領域内への書き込みが終了すると、固定ディスクの管理情報記録領域にその書き込んだ圧縮データについてのデータ管理情報（データ識別情報、記録位置、ファイルサイズ）を書き込む。
仮想ディスク記録動作においては、図８に示すように、記録すべき仮想ディスク領域Ｄｉが設定されているか否かを判別する（ステップＳ２１）。ｉは１〜ｎのうちのいずれか１である。仮想ディスク領域Ｄｉが設定されていないならば、上記した仮想ディスク設定動作を実行する（ステップＳ２２）。仮想ディスク領域Ｄｉが設定されている場合、或いはステップＳ２２を実行した後には、その設定された仮想ディスク領域Ｄｉに記録対象の放送番組についての圧縮データが書き込むことができるだけの記録領域が残っているか否かを判別する（ステップＳ２３）。記録対象の番組は現在指定された番組或いはタイマ予約された番組であって、上記した仮想ディスク設定動作で定められたディスクタイトル名に対応する。タイマ予約の場合にはその予約操作は別途行われるとする。従って、記録対象の放送番組の放送時間（時間的長さ）はＥＰＧの番組情報から分かるので、その放送番組についての圧縮データが設定された仮想ディスク領域Ｄｉに書き込める大きさであるか否かを判別することができる。
【００２３】
ステップＳ２３の判別の結果、仮想ディスク領域Ｄｉに書き込むことができないならば、新たな仮想ディスク設定のためにステップＳ２２に移行する。仮想ディスク領域Ｄｉに書き込むことができるならば、仮想ディスク領域Ｄｉへの圧縮データの書き込みをＨＤＤ装置７に指令する（ステップＳ２４）。仮想ディスク領域Ｄｉへの書き込み動作はタイマ予約の場合にその予約時間に開始される。
【００２４】
仮想ディスク領域Ｄｉへの書き込み動作の場合に、受信された放送波の映像信号及び音声信号についての圧縮データがバス１６を介してＨＤＤ装置７に供給されるまでは一般記録動作と同一である。ＨＤＤ装置７は制御部４の書込指示に応じて圧縮データを固定ディスクのグループ録領域内の上記の仮想ディスク設定動作で設定された仮想ディスク領域Ｄｉに書き込む。
【００２５】
仮想ディスク領域Ｄｉへの圧縮データの書き込みが終了すると、管理情報記録領域の仮想ディスク領域Ｄｉ用へのデータ管理情報の書き込みを指令する（ステップＳ２５）。ＨＤＤ装置７ではステップＳ２５の書き込み指令に応答して管理情報記録領域の仮想ディスク領域Ｄｉ用にデータ管理情報（データ識別情報、記録位置、ファイルサイズ）を書き込むことが行われる。
【００２６】
よって、仮想ディスク記録動作が実行されることにより、図２に示したようにグループ記録領域には仮想ディスク領域Ｄ１，Ｄ２，…が形成され、各仮想ディスク領域内には放送番組の圧縮データ（例えば、Ｎｏ．Ｄ１−１，Ｎｏ．Ｄ１−２，Ｎｏ．Ｄ１−３，…）がステップＳ２４の実行毎に１ファイルとして書き込まれる。また、管理情報記録領域には仮想ディスク領域Ｄ１用，Ｄ２用，…が形成される。
【００２７】
再生動作はＨＤＤ装置７に書き込まれた圧縮データをデコーダ１０及びＤ／Ａ変換器１１によってアナログの映像信号及び音声信号に復元する動作である。再生動作時には、制御部４の読出指示に応じてＨＤＤ装置７の固定ディスクの読出指示によってアドレス指定された位置から圧縮データが読み出される。読み出された圧縮データはバス１６を介してデコーダ１０に供給され、そこで伸張されることによってディジタルの映像信号及び音声信号に変換される。更に、そのディジタルの映像信号及び音声信号は、Ｄ／Ａ変換器１１によってアナログの映像信号及び音声信号に変換され、それは映像及び音声出力端子２４及び２５から出力される。
【００２８】
コピー動作においては、制御部４は図９に示すように、先ず、ＨＤＤ装置７の固定ディスクの仮想ディスク領域Ｄ１〜Ｄｎの中でデータ書き込みが既に行われたＤ１〜Ｄｉのうちからの少なくとも１の選択を操作部６を介して受け入れる（ステップＳ３１）。ここでは、仮想ディスク領域Ｄ１〜Ｄｉに上記の仮想ディスク記録動作によってデータ書き込みが行われたとする。ステップＳ３１では、例えば、制御部４はＨＤＤ装置７の固定ディスクの仮想ディスク領域Ｄ１〜Ｄｉに記録された圧縮データについて仮想ディスク領域毎のグループとしてファイル名、放送番組名等のデータ識別情報を表示部５に表示させ、ユーザはその表示内容から光ディスク１５へコピーする仮想ディスク領域を操作部６の操作によって選択する。
【００２９】
制御部４は、選択された１の仮想ディスク領域内からのデータ読み出しをＨＤＤ装置７にバス１６を介して指令し（ステップＳ３２）、更にその読み出しデータの書き込みを光ディスクドライブ装置８に指令する（ステップＳ３３）。１の仮想ディスク領域をＤｊ（ｊは１〜ｉのうちのいずれか１）とすると、ステップＳ３２の読出指示に応じてＨＤＤ装置７では読出指示によって指定された固定ディスクの仮想ディスク領域Ｄｊから圧縮データが読み出される。その読み出しの際にはその指定された仮想ディスク領域Ｄｊに対応した管理情報記録領域の仮想ディスク領域Ｄｊ用が利用される。読み出された圧縮データはバス１６を介して光ディスクドライブ装置８に供給される。光ディスクドライブ装置８は制御部４の書込指示に応じてＨＤＤ装置７から供給された圧縮データを光ディスク１５の主データ記録領域に書き込む。光ディスク１５の主データ記録領域への仮想ディスク領域Ｄｊ内の全ての圧縮データの書き込みが終了すると、光ディスク１５の管理情報記録領域にデータ管理情報を書き込むことによって１の仮想ディスク領域Ｄｊのデータの光ディスク１５への書き込みは終了する。光ディスク１５の管理情報記録領域に書き込まれるデータ管理情報はＨＤＤ装置７の管理情報記録領域の仮想ディスク領域Ｄｊ用とは異なり、例えば、記憶位置については光ディスク１５に適合させた情報となる。
【００３０】
なお、ステップＳ３３の書き込みの際に光ディスク１５が装置内に正しくセットされていない場合にはユーザに対して光ディスク１５の再セット、或いは光ディスク１５の交換を促すための映像を表示部５に表示させても良い。
制御部４はステップＳ３３の指令後、１の仮想ディスク領域Ｄｊのデータの光ディスク１５への書き込みが終了したか否かを判別する（ステップＳ３４）。その書き込みが終了した場合に例えば、光ディスクドライブ装置８から書き込み終了を示す信号が制御部４に供給されることにより、制御部４は光ディスク１５への書き込みの終了を判別することができる。光ディスク１５への書き込みが終了したならば、ステップＳ３１において選択された仮想ディスク領域のうちの光ディスク１５への書き込みが終了していない残りの仮想ディスク領域があるか否かを判別する（ステップＳ３５）。残りの仮想ディスク領域があるならば、ユーザに対して光ディスク１５の交換を促すための映像を表示部５に表示させる（ステップＳ３６）。すなわち、光ディスクドライブ装置８にセットされている光ディスク１５は書き込みが終了したディスクであるので、未記録の光ディスク１５のセットをユーザに要求するのである。光ディスク１５の交換が終了したか否かを判別し（ステップＳ３７）、光デスク１５の交換が確認できた後、ステップＳ３２に戻って選択された次の１の仮想ディスク領域からのデータ読み出しをＨＤＤ装置７に指令し、その読み出しデータの書き込みを光ディスクドライブ装置８に指令し（ステップＳ３３）、上記した動作が同様に行われる。
【００３１】
かかるコピー動作によって図２に示した固定ディスクの仮想ディスク領域Ｄ１のデータを光ディスク１５に書き込むと、光ディスク１５の記録領域には例えば、図１０に示すにようにデータ及びその管理情報が形成される。
なお、光ディスク１５の交換を自動的に行うオートチェンジャ装置が備えられているならば、制御部４はステップＳ３５において残りの仮想ディスク領域があると判別した場合には、そのオートチェンジャ装置に光ディスク１５の交換を指令した後、直ちにステップＳ３７に移行することになる。
【００３２】
制御部４は、ステップＳ３５において残りの仮想ディスク領域がないと判別した場合には、コピー対象となった仮想ディスク領域のデータを消去するか否かを判別する（ステップＳ３８）。ユーザによって操作部６を介してデータ消去のための操作が行われた場合には、そのコピー対象となった仮想ディスク領域のデータの消去をＨＤＤ装置７にバス１６を介して指令する（ステップＳ３９）。このデータ消去に当たってはデータがコピーされた仮想ディスク領域に対応した管理情報記録領域の仮想ディスク領域用が参照される。ＨＤＤ装置７はコピー対象となった仮想ディスク領域内の全てのデータの消去後、管理情報記録領域の仮想ディスク領域用も消去する。ステップＳ３９の実行後、コピー動作を終了する。
【００３３】
かかるデータ消去によって図２に示したＨＤＤ装置７の仮想ディスク領域Ｄ１内のデータが消去されたとすると、その仮想ディスク領域Ｄ１内は例えば、図１１に示すように空き領域となる。
なお、かかるデータ消去においては、ＨＤＤ装置７の固定ディスクの仮想ディスク領域Ｄ１〜Ｄｎのうちの任意領域を選択的に消去するようにしても良い。
【００３４】
上記した実施例においては、ＨＤＤ装置７の固定ディスクに主データ記録領域内に複数の仮想ディスク領域Ｄ１〜Ｄｎを実際に設けたが、図１２に示すように主データ記録領域は任意記録だけとしても良い。この場合、仮想ディスク領域Ｄ１〜ＤｎはＨＤＤ装置７内には実際には作成されないが、仮想ディスク領域Ｄ１〜Ｄｎがあると仮定して管理情報記録領域には図１２に示したように個別記録領域用と仮想ディスク領域Ｄ１〜Ｄｎ用とが備えられる。
【００３５】
次に、このようにＨＤＤ装置７の固定ディスクに主データ記録領域内に複数の仮想ディスク領域Ｄ１〜Ｄｎを設けない場合の仮想ディスク記録動作及びコピー動作について説明する。
制御部４は仮想ディスク記録動作では図１３に示すように、ステップＳ２１〜Ｓ２３を実行する。図８に示した仮想ディスク記録動作とはステップＳ２４に代えて、制御部４はＨＤＤ装置７に対して主データ記録領域への圧縮データの書き込みを指令し（ステップＳ２４ａ）、ステップＳ２５において管理情報記録領域の仮想ディスク領域Ｄｉ用にデータ管理情報の書き込みが行われる。このデータ管理情報に含まれる記録位置は主データ記録領域の個別の記憶位置である。その他は図８の仮想ディスク記録動作と同一であるので、ここでの説明は省略する。
【００３６】
なお、仮想ディスク領域Ｄｉ用のデータ管理情報はＨＤＤ装置７の固定ディスクの管理情報記録領域に書き込まないで、制御部４の内部メモリやメモリ９等の他の記憶装置に書き込んでも良い。
コピー動作においては、制御部４は図１４に示すように、ステップＳ３１の実行後、選択された１の仮想ディスク領域に対応するデータ読み出しをＨＤＤ装置７にバス１６を介して指令し（ステップＳ３２ａ）、更に、その読み出しデータの書き込みを光ディスクドライブ装置８に指令する（ステップＳ３３）。その後、１の仮想ディスク領域に対応するデータ読み出しが終了したか否かを判別する（ステップＳ３４ａ）。ステップＳ３２ａの実行によって仮想ディスク領域Ｄｊに関する圧縮データは主データ記録領域から読み出される。その読み出しの際にはその指定された仮想ディスク領域Ｄｊに対応した管理情報記録領域の仮想ディスク領域Ｄｊ用が利用され、仮想ディスク領域Ｄｊ用のデータ管理情報に含まれる記録位置に応じて仮想ディスク領域Ｄｊに関する圧縮データが主データ記録領域から読み出される。読み出された圧縮データはバス１６を介して光ディスクドライブ装置８に供給される。光ディスクドライブ装置８は制御部４の書込指示に応じてＨＤＤ装置７から供給された圧縮データを光ディスク１５の主データ記録領域に書き込む。光ディスク１５の主データ記録領域への仮想ディスク領域Ｄｊに関する全ての圧縮データの書き込みが終了すると、光ディスク１５の管理情報記録領域にデータ管理情報を書き込むことによって１の仮想ディスク領域Ｄｊのデータの光ディスク１５への書き込みは終了する。
【００３７】
なお、上記した各実施例においては、情報データとして、ディジタルの映像信号及び音声信号を圧縮処理した圧縮データが光ディスクに書き込まれるが、圧縮データに限定されない。非圧縮のディジタルの映像信号及び音声信号を光ディスクに書き込んでも良い。また、光ディスクに書き込まれるデータが示す情報は映像情報や音声情報に限らない。例えば、プログラム等の他の情報を示すデータであっても良い。
【００３８】
また、上記した各実施例においては、リムーバブル型の記憶装置として光ディスクドライブ装置が用いられているが、記録媒体としては光ディスクに限らず、磁気ディスクや半導体メモリであっても良い。
更に、同一の記録媒体であっても記録容量が等しくないこともあるので、リムーバブル型の記憶装置にセットされた記録媒体の容量に応じて仮想ディスク領域の大きさを変化させるようにしても良い。
【００３９】
また、上記した実施例においては、リムーバブル型の記憶装置として光ディスクドライブ装置は録画装置に内蔵されているが、録画装置に外付けされる装置でも良い。
以上のように、本発明によれば、記録媒体の空き記録容量等をユーザが考慮することなく、蓄積装置に蓄積されたデータを選択的にリムーバブル型の記憶装置の記録媒体に効率よく記録することができる。また、本発明はハードディスクレコーダ等の録画装置に適用することができる。
【図面の簡単な説明】
【図１】本発明を適用した録画装置を示すブロック図である。
【図２】ＨＤＤ装置の記録領域の構造を示す図である。
【図３】光ディスクの記録領域の構造を示す図である。
【図４】仮想ディスク設定動作を示すフローチャートである。
【図５】仮想ディスク設定入力画面を示す図である。
【図６】記録動作を示すフローチャートである。
【図７】記録エリア選択画面を示す図である。
【図８】仮想ディスク記録動作を示すフローチャートである。
【図９】コピー動作を示すフローチャートである。
【図１０】コピー動作によってデータがコピーされた光ディスクの記録領域の状態を示す図である。
【図１１】消去動作によってデータが消去された仮想ディスク領域の状態を示す図である。
【図１２】本発明の他の実施例におけるＨＤＤ装置の記録領域の構造を示す図である。
【図１３】本発明の他の実施例における仮想ディスク設定動作を示すフローチャートである。
【図１４】本発明の他の実施例におけるコピー動作を示すフローチャートである。
【符号の説明】
１  ＴＶチューナ
３  エンコーダ
４  制御部
７  ＨＤＤ装置
８  光ディスクドライブ装置
１０  デコーダ
【図１】
2005025844.tif 000003
【図２】
2005025844.tif 000004
【図３】
2005025844.tif 000005
【図４】
2005025844.tif 000006
【図５】
2005025844.tif 000007
【図６】
2005025844.tif 000008
【図７】
2005025844.tif 000009
【図８】
2005025844.tif 000010
【図９】
2005025844.tif 000011
【図１０】
2005025844.tif 000012
【図１１】
2005025844.tif 000013
【図１２】
2005025844.tif 000014
【図１３】
2005025844.tif 000015
【図１４】
2005025844.tif 000016